(57)【要約】【課題】配線や配管だけでなく、各種の機器類を収容することができるとともに、什器上の作業空間の環境を良好なものとする。【解決手段】ダクト付き什器１は、什器本体２と、什器本体２の側面２ｓに沿って設けられ、内部に配管及び配線の少なくとも一方が挿通されるダクト３と、を備え、ダクト３は、上下方向に延び、ダクト３の下部における水平面内の断面積が、ダクト３の上部における水平面内の断面積よりも大きい。【選択図】図１
2019136656.tif 000002
【特許請求の範囲】
【請求項１】
什器本体と、
前記什器本体の側端面に沿って設けられ、上下方向に延在するダクトと、を備え、
前記ダクトは、前記ダクトの下部における水平面内の断面積が、前記ダクトの上部における水平面内の断面積よりも大きいダクト付き什器。
【請求項２】
前記ダクトは、
上下方向に一定の断面積を有して延びる下部ダクトと、
前記下部ダクト上に設けられ、上下方向に前記下部ダクトよりも小さい一定の断面積を有して延びる上部ダクトと、を備える請求項１に記載のダクト付き什器。
【請求項３】
前記下部ダクトは、前記側端面に平行な方向の幅寸法が、前記上部ダクトにおける前記方向の幅寸法よりも大きい請求項２に記載のダクト付き什器。
【請求項４】
前記上部ダクトの下端部は、前記下部ダクトの上端部に接続され、
前記下部ダクトの上端部には、前記上部ダクトが接続される部分以外を覆う上面カバーが設けられている請求項２又は請求項３に記載のダクト付き什器。
【請求項５】
前記上部ダクトは、前記下部ダクトにおける水平方向の第一側及び第二側の一方に選択的に装着可能とされ、
前記上面カバーは、前記下部ダクトにおける水平方向の第一側及び第二側の他方に装着可能とされている請求項４に記載のダクト付き什器。
【請求項６】
前記上面カバーは、前記下部ダクトの上端開口部を覆う天面部と、
前記天面部の端部から下方に垂下し、前記下部ダクト内で固定される垂下部と、を備え、
前記上部ダクトは、少なくとも一部が前記垂下部上に支持されている請求項４又は請求項５に記載のダクト付き什器。
【請求項７】
前記下部ダクトの上端部は、前記什器本体の上端と同じ高さ以下に配置されている請求項２から請求項６のいずれか一項に記載のダクト付き什器。
【発明の詳細な説明】
【技術分野】
【０００１】
本発明は、ダクト付き什器に関する。
【背景技術】
【０００２】
例えば実験台や作業台等の什器において、ガスや液体を供給するための配管、電力等を供給するための配線を通すダクトを備えたものがある。
例えば特許文献１には、什器の支柱に設けた配線溝に配線を通し、配線溝をカバーで覆う構成が開示されている。
また、特許文献２には、什器の柱体ユニットの中空部内や、柱体ユニットに沿うケーシングの内部に形成された空間部に、配線や配管を通す構成が開示されている。
【先行技術文献】
【特許文献】
【０００３】
【特許文献１】特開平８−１３１８５２号公報
【特許文献２】特開２０００−１６７４１８号公報
【発明の概要】
【発明が解決しようとする課題】
【０００４】
特許文献１，２に開示されたように、支柱の配線溝や柱体ユニットの中空部は、いずれも上下方向に同一断面形状が連続している。また、支柱や柱体ユニットは、支柱や柱体ユニットそのものに配線溝や中空部を形成している。これらの理由から、支柱の配線溝や柱体ユニットの中空部は、その内部のスペースに限りがある。このため、例えば、通信用ケーブルを接続するためのハブやルータ、電力供給用の配線に設けられるブレーカ等の機器を、支柱の配線溝や柱体ユニットの中空部に収容するのは困難である。
【０００５】
これに対し、各種の機器を収容するため、支柱や柱体ユニット、ケーシング等を大型化することも考えられる。しかし、支柱や柱体ユニット、ケーシング等を大型化すると、什器上の作業空間への光や風の通りが悪くなったり、作業空間で作業するユーザに対して圧迫感を与えたり等、作業空間の環境が低下してしまう場合がある。
【０００６】
そこでなされた本発明の目的は、配線や配管だけでなく、各種の機器類を収容することができるとともに、什器上の作業空間の環境を良好なものとすることができるダクト付き什器を提供することである。
【課題を解決するための手段】
【０００７】
上記目的を達成するために、本発明の一態様に係るダクト付き什器は、什器本体と、前記什器本体の側端面に沿って設けられ、上下方向に延在するダクトと、を備え、前記ダクトは、前記ダクトの下部における水平面内の断面積が、前記ダクトの上部における水平面内の断面積よりも大きい。
【０００８】
このような構成によれば、ダクトの下部の断面積を、ダクトの上部の断面積よりも大きくすることで、ダクトの下部に、各種の機器等を収容するスペースを確保することができる。ダクトの上部は断面積が小さいので、什器本体上の作業空間に、照明が当たりにくくなったり、風の通りが悪くなったりするのを抑えることができる。また、ダクトの上部の断面積を小さくすることで、什器本体で作業するユーザに対して与える圧迫感を軽減できる。したがって、ダクト付き什器によれば、配線や配管だけでなく、各種の機器類を収容することができるとともに、什器本体上の作業空間の環境を良好なものとすることが可能となる。
【０００９】
本発明の一態様に係るダクト付き什器において、前記ダクトは、上下方向に一定の断面積を有して延びる下部ダクトと、前記下部ダクト上に設けられ、上下方向に前記下部ダクトよりも小さい一定の断面積を有して延びる上部ダクトと、を備えていてもよい。
このように構成することで、例えば上部ダクトには配線や配管のみを通し、下部ダクトには配線や配管に加えて、各種の機器等を収容することができる。これにより、上部ダクトの断面積が過大となるのを抑え、上部ダクトによって光や風が遮られるのを抑制できるとともに、ユーザに与える圧迫感を軽減できる。
特に、ダクトが下部ダクトと上部ダクトとに分割構成されることで、ダクトが上下方向の全長に亘って一体である構成に比べて、製造効率や施工性を向上させることができる。
【００１０】
本発明の一態様に係るダクト付き什器において、前記下部ダクトは、前記側端面に平行な方向の幅寸法が、前記上部ダクトにおける前記方向の幅寸法よりも大きくてもよい。
このように構成することで、側端面に平行な方向において、下部ダクト内の収容スペースが、上部ダクト内の収容スペースよりも大きくなる。この場合、什器本体の側端面に沿ってダクトを設けるにあたって、側端面に直交する幅寸法を下部ダクト及び上部ダクトで異ならせる構成に比べて、上述した作用効果がより奏効される。
【００１１】
本発明の一態様に係るダクト付き什器において、前記上部ダクトの下端部は、前記下部ダクトの上端部に接続され、前記下部ダクトの上端部には、前記上部ダクトが接続される部分以外を覆う上面カバーが設けられていてもよい。
このように構成することで、上部ダクトと下部ダクトとを上下方向に連続させつつ、下部ダクトの上端部において上部ダクトが接続されていない部分を上面カバーで覆うことができる。したがって、下部ダクトの上端開口部を通じてダクト内に塵埃等が進入するのを抑制できる。
【００１２】
本発明の一態様に係るダクト付き什器において、前記上部ダクトは、前記下部ダクトにおける水平方向の第一側及び第二側の一方に選択的に装着可能とされ、前記上面カバーは、前記下部ダクトにおける水平方向の第一側及び第二側の他方に装着可能とされていてもよい。
このように構成することで、下部ダクトに対する上部ダクトの水平方向における位置を、例えば配管や配線の位置に合わせて選択的に設定することができる。これにより、ダクト付き什器の設置空間やニーズに合わせて上部ダクトを施工でき、施工性の更なる向上を図ることができる。
【００１３】
本発明の一態様に係るダクト付き什器において、前記上面カバーは、前記下部ダクトの上端開口部を覆う天面部と、前記天面部の端部から下方に垂下し、前記下部ダクト内で固定される垂下部と、を備え、前記上部ダクトは、少なくとも一部が前記垂下部上に支持されていてもよい。
このように構成することで、上面カバーの垂下部が下部ダクトに固定されることで、上面カバーを下部ダクトに強固に固定することができる。さらに、上部ダクトの少なくとも一部を垂下部上に設けることで、上部ダクトを下部ダクトにより強固に支持することができる。
【００１４】
本発明の一態様に係るダクト付き什器において、前記下部ダクトの上端部は、前記什器本体の上端と同じ高さ以下に配置されていてもよい。
このように構成することで、断面積が大きい下部ダクトの高さを抑え、下部ダクトによって光や風が遮られるのを抑制できるとともに、ユーザに与える圧迫感を軽減できる。また、下部ダクトと什器本体２との高さ位置を合わせることで、ダクト付き什器の意匠性を向上させることができる。
【発明の効果】
【００１５】
本発明の態様に係るダクト付き什器によれば、配線や配管だけでなく、各種の機器類を収容することができるとともに、什器上の作業空間の環境を良好なものとする。
【図面の簡単な説明】
【００１６】
【図１】本発明の一実施形態に係るダクト付き什器の全体構成を示す斜視図である。
【図２】什器本体の側面に設けられたダクトを示す正面図である。
【図３】下部ダクトの平面図である。
【図４】上記ダクトを構成するダクト本体部を示す側面図である。
【図５】上記下部ダクトに設けられる上面カバーを示す側面図である。
【図６】下部ダクトに対する上面カバーの取付構造を示す正面図である。
【発明を実施するための形態】
【００１７】
以下、添付図面を参照して、本発明によるダクト付き什器を実施するための形態を説明する。しかし、本発明はこれらの実施形態のみに限定されるものではない。
【００１８】
図１は、本実施形態に係るダクト付き什器１の全体構成を示す斜視図である。
図１に示すように、ダクト付き什器１は、什器本体２と、ダクト３とを備えている。
【００１９】
什器本体２は、例えば、実験台や作業台等として用いられるもので、床面Ｆ上に設置された下部構造２１と、下部構造２１上に設けられた天板２２と、天板２２から上方に向かって延びる棚部２３と、を備えている。
【００２０】
下部構造２１は、床面Ｆ上において、間隔をあけて配置された一対の脚部２４を備えている。ここで、脚部２４は、一対に限らず、３本以上を備えていてもよい。
互いに隣り合う脚部２４間には、配線や配管等を収容する収容部２５が、水平方向に延びて設けられている。収容部２５は、筒状、又は上方に開口した断面Ｕ字状をなしている。
【００２１】
天板２２は、上面に作業面２２ａを有している。天板２２は、例えば平面視長方形状をなしている。天板２２は、その長辺方向を、一対の脚部２４が間隔をあけて配置される方向に一致させて設けられている。なお、以下の説明において、天板２２の長辺方向に一致する方向を幅方向Ｄｗと称し、天板２２の短辺方向に一致する方向を前後方向Ｄｆと称する。
【００２２】
棚部２３は、天板２２の幅方向Ｄｗ両側にそれぞれ設けられた一対の側板２６と、一対の側板２６間に設けられた棚板２７と、を備えている。各側板２６は、天板２２から上方に向かって延びている。棚板２７は、上下方向に１枚以上が設けられている。本実施形態において、棚板２７は、上下方向に２枚が間隔をあけて設けられている。棚板２７上には、各種の物品が載置される。
【００２３】
ダクト３は、上下方向に延びている。ダクト３の内側には、配管や配線等が挿通される。本実施形態において、ダクト３は、例えば、什器本体２の幅方向Ｄｗの一方を向く側面（側端面）２ｓに沿って配置されている。
ダクト３は、下部ダクト３１と、上部ダクト３２と、を備えている。下部ダクト３１は、平断面視矩形状で、上下方向に一定（一様）の断面積を有して延びている。上部ダクト３２は、下部ダクト３１上に設けられている。上部ダクト３２は、上下方向に下部ダクト３１よりも小さい一定（一様）の断面積を有して延びている。下部ダクト３１は、側面２ｓに平行な前後方向Ｄｆの幅寸法Ｗ１が、上部ダクト３２における前後方向Ｄｆの幅寸法Ｗ２よりも大きい。本実施形態において、上部ダクト３２の幅寸法Ｗ２は、下部ダクト３１の幅寸法Ｗ１の半分以下になっている。一方、下部ダクト３１における幅方向Ｄｗの幅寸法Ｗ３（図２参照）と、上部ダクト３２における幅方向Ｄｗの幅寸法Ｗ４（図２参照）と、は同等になっている。すなわち、ダクト３は、ダクト３の下部における水平面内の断面積が、ダクト３の上部における水平面内の断面積よりも大きい。
【００２４】
下部ダクト３１の上端部３１ｔは、什器本体２の上端である棚部２３の上端２３ｔと同じ高さ以下に配置されている。すなわち、下部ダクト３１は、什器本体２を上下方向の全長に亘って幅方向Ｄｗの一方から覆っている。これにより、棚部２３に載置された各種機器（例えば、実験機器等）が側方から視認し難くなっている。下部ダクト３１において、前後方向Ｄｆの前端部３１ｆは、棚部２３の前端２３ｆよりも後方に配置されている。換言すると、下部ダクト３１は、棚部２３よりも前方に突出しないよう設けられている。但し、下部ダクト３１の前端部３１ｆは、棚部２３よりも前方に突出していてもよい。
【００２５】
図２は、什器本体２の側面２ｓに設けられたダクト３を示す正面図である。図３は、下部ダクト３１の平面図である。図４は、ダクト３を構成するダクト本体部３３を示す側面図である。
図２、図３、図４に示すように、下部ダクト３１は、ダクト本体部３３と、ダクト本体部３３に着脱可能に取り付けられる塞ぎ板３４（図２、図３参照）と、を備えている。ダクト本体部３３は、什器本体２の側面２ｓに固定されたベース板３３ａと、ベース板３３ａの前後方向Ｄｆの両端部から幅方向Ｄｗに延びる側板部３３ｂ，３３ｃと、を有している。これにより、ダクト本体部３３は、幅方向Ｄｗにおいてベース板３３ａから離間する方向に開口３３ｄを有した平面視コ字状をなしている。
【００２６】
図４に示すように、ダクト本体部３３のベース板３３ａには、収容部２５（図２参照）に連通する連通孔３６が形成されている。連通孔３６は、ベース板３３ａを幅方向Ｄｗに貫通している。
【００２７】
図３に示すように、塞ぎ板３４は、ダクト本体部３３の開口３３ｄを塞ぐ。塞ぎ板３４は、その下部の前後方向Ｄｆの両側に、ダクト本体部３３側に突出するピン（図示無し）を有している。また、塞ぎ板３４は、その上部の前後方向Ｄｆの中央部に、ダクト本体部３３側に突出する係止片３４ｑを有している。本実施形態において、塞ぎ板３４を幅方向Ｄｗから見た側面視外形は、ダクト本体部３３の側面視外形と同等になっている。但し、塞ぎ板３４の側面視外形は、ダクト本体部３３の側面視外形に対して大きくても小さくてもよい。
【００２８】
図４に示すように、上部ダクト３２は、その下端部３２ｄが、下部ダクト３１の上端部３１ｔに接続されている。上部ダクト３２は、下部ダクト３１における前後方向Ｄｆ（水平方向）の前部（第一側）及び後部（第二側）の一方に選択的に装着可能とされている。本実施形態において、上部ダクト３２は、下部ダクト３１における後部に装着されている。
【００２９】
上部ダクト３２は、平面視矩形の筒状で、背板３２ａと、側板３２ｂ，３２ｃと、蓋板３２ｆと、を有している。背板３２ａは、下部ダクト３１のダクト本体部３３のベース板３３ａ上に支持されている。側板３２ｂ，３２ｃは、背板３２ａの前後方向Ｄｆの両端部から幅方向Ｄｗに延びている。側板３２ｂは、下部ダクト３１において、ダクト本体部３３の側板部３３ｂ上に支持されている。側板３２ｃは、後述する上面カバー３５の垂下部３５ｓ上に支持されている。蓋板３２ｆは、側板３２ｂ，３２ｃに着脱可能に装着されている。蓋板３２ｆは、下部ダクト３１の塞ぎ板３４上に支持されている。
【００３０】
上部ダクト３２内は、下部ダクト３１内に連通している。
下部ダクト３１の上端部３１ｔには、上部ダクト３２が接続される部分以外を覆う上面カバー３５が設けられている。
【００３１】
図５は、上記下部ダクト３１に設けられる上面カバー３５を示す側面図である。
図３〜図５に示すように、上面カバー３５は、下部ダクト３１の上端開口部を覆う天面部３５ｔと、天面部３５ｔの端部から下方に垂下する垂下部３５ｓと、を備えている。天面部３５ｔの幅方向Ｄｗの両端部には、下方に延びるフランジ部３５ｆが天面部３５ｔと一体に形成されている。また、垂下部３５ｓの幅方向Ｄｗの両端部には、前方に延びるフランジ部３５ｇが垂下部３５ｓと一体に形成されている。なお、上面カバー３５は、少なくとも天面部３５ｔを有していればよい（垂下部３５ｓを有していなくてもよい）。
【００３２】
図６は、下部ダクト３１に対する上面カバー３５の取付構造を示す正面図である。
図６に示すように、上面カバー３５は、上部ダクト３２のベース板３３ａに設けられたブラケット３３ｋや塞ぎ板３４に、フランジ部３５ｆ，３５ｇをビス（図示無し）等で締結することによって、下部ダクト３１に固定されている。図４に示すように、下部ダクト３１に固定された垂下部３５ｓ上に、上部ダクト３２の側板３２ｃが支持されている。
【００３３】
上面カバー３５は、下部ダクト３１における前部及び後部の他方に装着可能とされている。本実施形態において、上部ダクト３２は下部ダクト３１における後部に設けられ、上面カバー３５は下部ダクト３１における前部に装着されている。
【００３４】
上面カバー３５は、前後の向きを入れ替えて下部ダクト３１に装着可能に構成されている。具体的に、垂下部３５ｓを後方に向けた状態で、上面カバー３５を下部ダクト３１における前部に装着することで、図４に示すように上部ダクト３２が下部ダクト３１における後部に装着される。一方、垂下部３５ｓを前方に向けた状態で、上面カバー３５を下部ダクト３１における後部に装着することで、上部ダクト３２が下部ダクト３１における前部に装着される。これにより、下部ダクト３１における上部ダクト３２の前後位置を変更できる。
【００３５】
図５に示すように、上面カバー３５は、フランジ部３５ｆの一部を切り欠くことによって形成された係止孔３７を備えている。係止孔３７は、上面カバー３５を下部ダクト３１の前部に装着した場合、下部ダクト３１の後部に装着した場合の双方において、下部ダクト３１の前後方向Ｄｆの中央に位置する。
【００３６】
塞ぎ板３４は、その下部に設けられたピン（図示無し）を、ダクト本体部３３の側板部３３ｂ，３３ｃに形成された案内孔３３ｈ（図４参照）に係止させる。図６に示すように、塞ぎ板３４は、その上部の係止片３４ｑを、上面カバー３５に形成された係止孔３７に挿入し、係止片３４ｑと上面カバー３５の天面部３５ｔとをボルト３９等で締結することで固定される。
【００３７】
このようなダクト３は、ダクト３内の上部から下部に配線や配管を通す。配線や配管は、必要に応じ、連通孔３６を通し、下部ダクト３１内から什器本体２の収容部２５内に配索する。ダクト３は、上部ダクト３２よりも水平面内の断面積が大きい下部ダクト３１内に、各種の機器（例えば、ハブやルータ、ブレーカ等）等を収容する。
【００３８】
上述したように、ダクト付き什器１は、ダクト３の下部における水平面内の断面積が、ダクト３の上部における水平面内の断面積よりも大きい構成とした。
このように、ダクト３の下部（下部ダクト３１）の断面積を、ダクト３の上部（上部ダクト３２）の断面積よりも大きくすることで、ダクト３の下部に、各種の機器等を収容するスペースを確保することができる。ダクト３の上部は断面積が小さいので、什器本体２上の作業空間に、照明が当たりにくくなったり、風の通りが悪くなったりするのを抑えることができる。また、ダクト３の上部の断面積を小さくすることで、什器本体２で作業するユーザに対して与える圧迫感を軽減できる。したがって、ダクト付き什器１によれば、配線や配管だけでなく、各種の機器類を収容することができるとともに、ダクト付き什器１上の作業空間の環境を良好なものとすることが可能となる。
【００３９】
本実施形態において、ダクト３は、下部ダクト３１と、下部ダクト３１上に接続され、下部ダクト３１の断面積よりも小さい上部ダクト３２と、を備える。
このように構成することで、上部ダクト３２には、配線や配管のみを通し、下部ダクト３１には、配線や配管に加えて、各種の機器等を収容することができる。これにより、上部ダクト３２の断面積が過大となるのを抑え、上部ダクト３２によって光や風が遮られるのを抑制できるとともに、ユーザに与える圧迫感を軽減できる。
特に、ダクト３が下部ダクト３１と上部ダクト３２とに分割構成されているため、ダクト３が上下方向の全長に亘って一体である構成に比べて、製造効率や施工性を向上させることができる。
【００４０】
本実施形態において、下部ダクト３１は、側面２ｓに平行な前後方向Ｄｆの幅寸法Ｗ１が、上部ダクト３２における前後方向Ｄｆの幅寸法Ｗ２よりも大きい。
このように構成することで、前後方向Ｄｆにおいて、下部ダクト３１内の収容スペースが、上部ダクト３２内の収容スペースよりも大きくなる。この場合、什器本体２の側面２ｓに沿ってダクト３を設けるにあたって、下部ダクト３１及び上部ダクト３２における幅方向Ｄｗの幅寸法Ｗ３，Ｗ４を異ならせる構成に比べて、上述した作用効果がより奏効される。
【００４１】
本実施形態において、上部ダクト３２の下端部３２ｄは、下部ダクト３１の上端部３１ｔに接続され、下部ダクト３１の上端部３１ｔには、上部ダクト３２が接続される部分以外を覆う上面カバー３５が設けられている。
このように構成することで、上部ダクト３２と下部ダクト３１とを上下方向に連続させつつ、下部ダクト３１の上端部３１ｔにおいて上部ダクト３２が接続されていない部分を上面カバー３５で覆うことができる。したがって、下部ダクト３１の上端開口部を通じてダクト３内に塵埃等が進入するのを抑制できる。
【００４２】
本実施形態において、上部ダクト３２は、下部ダクト３１における前部及び後部の一方に選択的に装着可能とされ、上面カバー３５は、下部ダクト３１における前部及び後部の他方に装着可能とされている。
このように構成することで、下部ダクト３１に対する上部ダクト３２の前後位置を、例えば配管や配線の位置に合わせて選択的に設定することができる。これにより、ダクト付き什器１の設置空間やニーズに合わせて上部ダクト３２を施工でき、施工性の更なる向上を図ることができる。
【００４３】
本実施形態において、上面カバー３５は、下部ダクト３１に固定される垂下部３５ｓを備え、上部ダクト３２の少なくとも一部が垂下部３５ｓ上に支持されている。
このように、上面カバー３５の垂下部３５ｓが下部ダクト３１に固定されることで、上面カバー３５を下部ダクト３１に強固に固定することができる。さらに、上部ダクト３２の少なくとも一部を垂下部３５ｓ上に設けることで、上部ダクト３２を下部ダクト３１により強固に支持することができる。
しかも、本実施形態では、上部ダクト３２及び上面カバー３５が前後付け替え可能に構成されているので、別部品を伴うことなく上部ダクト３２の前後位置を変更することができる。
【００４４】
本実施形態において、下部ダクト３１の上端部３１ｔは、什器本体２の上端２３ｔと同じ高さ以下に配置されている。
このように構成することで、断面積が大きい下部ダクト３１の高さを抑え、下部ダクト３１によって光や風が遮られるのを抑制できるとともに、ユーザに与える圧迫感を軽減できる。また、下部ダクト３１と什器本体２との高さ位置を合わせることで、ダクト付き什器１の意匠性を向上させることができる。
【００４５】
本実施形態において、下部ダクト３１は、側面２ｓから離間する方向に開口３３ｄを有した平面視コ字状のダクト本体部３３と、ダクト本体部３３の開口３３ｄを塞ぐ塞ぎ板３４と、を備える。
このように構成することで、ダクト本体部３３及び塞ぎ板３４によって囲まれた下部ダクト３１内の収容スペース内に、配線や配管、及び各種の機器を収容することができる。また、塞ぎ板３４を外せば、ダクト本体部３３内への配線や配管の配設、各種機器の取付やメンテナンス等の作業を容易に行うことができる。
【００４６】
什器本体２は、水平方向に延び、配線及び配管の少なくとも一方を収容する収容部２５を有し、ダクト本体部３３は、収容部２５に連通する連通孔３６を有している。
このように構成することで、ダクト本体部３３内を通した配線や配管を、連通孔３６を通して什器本体２の収容部２５内に配設することができる。
【００４７】
（その他の変形例）
なお、本発明の什器は、図面を参照して説明した上述の実施形態に限定されるものではなく、その技術的範囲において様々な変形例が考えられる。
例えば、上述した実施形態では、下部ダクト３１の前後方向Ｄｆにおける幅寸法Ｗ１が、上部ダクト３２の前後方向Ｄｆにおける幅寸法Ｗ２よりも大きいようにしたが、これに限らない。すなわち、上部ダクト３２の断面積が下部ダクト３１の断面積よりも小さくなっていればよい。この場合、上部ダクト３２は、前後方向Ｄｆ及び幅方向Ｄｗの寸法の少なくとも何れかが、下部ダクト３１よりも小さくなっていればよい。
【００４８】
上述した実施形態では、下部ダクト３１と什器本体２との高さ位置が一致している構成について説明したが、この構成のみに限られない。下部ダクト３１の高さは、什器本体２に対して高くても低くてもよい。
【００４９】
上述した実施形態では、下部ダクト３１及び上部ダクト３２が分割構成されている構成について説明したが、この構成のみに限られない。下部ダクト３１及び上部ダクト３２が一体の構成であってもよい。
上述した実施形態では、下部ダクト３１及び上部ダクト３２がそれぞれ一様な断面積に形成された構成について説明したが、この構成のみに限られない。すなわち、下部ダクト３１及び上部ダクト３２のそれぞれは、上下方向において連続的又は段階的に断面積を異ならせてもよい。
【００５０】
上述した実施形態では、下部ダクト３１及び上部ダクト３２の平面視外形を矩形状に形成した場合について説明したが、この構成のみに限られない。下部ダクト３１及び上部ダクト３２の平面視外形は、矩形状以外に三角形状や円形状であってもよい。また、下部ダクト３１及び上部ダクト３２は、平面視外形をそれぞれ異ならせてもよい。
上述した実施形態では、断面積の異なる２つのダクト３１，３２を接続する構成について説明したが、この構成のみに限られない。例えば、断面積の異なる３つ以上のダクトを接続してもよい。
上述した実施形態では、下部ダクト３１に対して１つの上部ダクト３２を接続する構成について説明したが、この構成のみに限られない。下部ダクト３１に対して複数の上部ダクト３２（例えば、配管用と配線用等）を接続してもよい。
【００５１】
上述した実施形態では、ダクト３を、什器本体２における幅方向Ｄｗを向く側面２ｓに沿って配置したが、この構成のみに限られない。ダクト３は、什器本体２の側端面に沿って配置されていればよく、例えば什器本体２の後面に沿って配置するようにしてもよい。
上述した実施形態では、什器本体２に対して片側のみにダクト３が配置される構成について説明したが、この構成のみに限られない。ダクト３は、什器本体２の側端面に沿って複数箇所に配置してもよい。
上述した実施形態では、上面カバー３５の向きを異ならせて上部ダクト３２の前後位置を変更する構成について説明したが、この構成のみに限られない。
上述した実施形態では、什器本体２として実験台や作業台等のデスクを例にした場合について説明したが、この構成のみに限られない。什器本体２は例えば陳列棚等であってもよい。
【００５２】
これ以外にも、本発明の主旨を逸脱しない限り、上記実施の形態で挙げた構成を取捨選択したり、他の構成に適宜変更したりすることが可能である。
【符号の説明】
【００５３】
１  ダクト付き什器
２  什器本体
２ｓ  側面（側端面）
３  ダクト
３１  下部ダクト
３１ｆ  前端部
３１ｔ  上端部
３２  上部ダクト
３２ｄ  下端部
３５  上面カバー
３５ｓ  垂下部
３５ｔ  天面部
Ｄｆ  方向
Ｄｗ  幅方向
Ｆ  床面
Ｗ１  幅寸法
Ｗ２  幅寸法
【図１】
2019136656.tif 000003
【図２】
2019136656.tif 000004
【図３】
2019136656.tif 000005
【図４】
2019136656.tif 000006
【図５】
2019136656.tif 000007
【図６】
2019136656.tif 000008